(57)【要約】      （修正有）【課題】目地プレート表面の段差を最小限にするとともに、施工が容易な床用目地装置を提供する。【解決手段】床用目地装置１は、目地部２を介して設けられた左右の躯体の一方の躯体３に取り付けられた複数個の筒状支持アーム５と、筒状支持アーム５に先端部側がそれぞれ挿入され、一方の躯体３と対向する他方の躯体４にその後端部が取り付けられた複数個の挿入支持アーム６と、筒状支持アーム５の上面に支持される目地プレート７と、挿入支持アーム６の上部に設けられ、その先端部が目地プレート７に支持されるカバープレート８と、カバープレート８の下面を支持する複数個の支持具９を有する複数のカバープレート支持機構１０とで構成され、支持具９は、目地プレート７に接触すると回転して下側に潜り込むとともに、その接触状態が解消するとカバープレート８を支持できる状態に復帰する。【選択図】図１
2018017078.tif 000002
【特許請求の範囲】
【請求項１】
目地部を介して設けられた左右の躯体の一方の躯体に取り付けられた複数個の筒状支持アームと、該複数個の筒状支持アームに先端部側がそれぞれ挿入され、一方の躯体と対向する他方の躯体にその後端部が取り付けられた複数個の挿入支持アームと、前記複数個の筒状支持アームの上面に支持される目地プレートと、前記複数個の挿入支持アームの上部に設けられ、その先端部が前記目地プレートに支持されるカバープレートと、該カバープレートの下面を支持する複数個の支持具を有する複数のカバープレート支持機構とで構成され、該カバープレート支持機構は、前記筒状支持アームの側面に対向するように設けられたレール部材と、該レール部材にスライド移動可能に支持されるとともに、後端部が前記他方の躯体に取り付けられたバー状又はパイプ状の支持具取付部材と、該支持具取付部材の上面に設けられた前記複数個の支持具とから成り、前記カバープレートの下面を支持している支持具は、前記目地プレートに接触すると回転し、前記目地プレートの下側に潜り込むとともに、その接触状態が解消すると前記カバープレートを支持できる状態に復帰することを特徴とする床用目地装置。
【請求項２】
前記カバープレートの目地部側の端部には、傾斜面を備えることを特徴とする請求項１に記載の床用目地装置。
【請求項３】
前記目地プレートの上部に設けられ、目地部側の端部が前記カバープレートの傾斜面に面接触状態で当接するフラットプレートを更に設け、該フラットプレートは、通常時はその上面が前記カバープレートの上面と略面一となり、地震によって目地部が狭くなった時には、前記カバープレートの上部に乗り上げて地震による揺れ動きを吸収できることを特徴とする請求項２に記載の床用目地装置。
【発明の詳細な説明】
【技術分野】
【０００１】
本発明は左右の躯体間の目地部を塞ぐ床用目地装置に関する。
【背景技術】
【０００２】
従来、この種の床用目地装置としては、「一方の目地部側床躯体に後端部が少なくとも水平方向に回動可能に取付けられた一方の筒部材、この一方の筒部材の先端部より突出する中間筒状部材、この中間筒状部材の先端部より出没する他方の目地部側床躯体に先端部が少なくとも水平方向に回動可能に取付けられた他方の挿入部材とからなる一方の伸縮梁、この一方の伸縮梁と少し間隔をおいて、該一方の伸縮梁とは反対向きとなるように両躯体に取付けられた一方の伸縮梁と同構成の他方の伸縮梁とを備える２組以上の伸縮梁と、この２組以上の伸縮梁の一方の伸縮梁の中間筒状部材の先端部と他方の伸縮梁の中間筒状部材の先端部に、上部が一方の筒部材の上部とほぼ同一面となるように両端部が水平方向に回動可能にそれぞれ取付けられた補助梁と、前記２組以上の伸縮梁の一方の筒部材および前記補助梁に所定間隔で配置された複数個の目地プレート支持梁と、この複数個の目地プレート支持梁の中央部の目地プレート支持梁を、前記補助梁のほぼ中央部に枢支する枢支手段と、前記複数個の目地プレート支持梁を所定間隔に保持する保持手段と、前記複数個の目地プレート支持梁の中央部の目地プレート支持梁を除く部位にそれぞれ取付けられた隣りと所定寸法重なり合う複数個の床目地プレートと、前記中央部の目地プレート支持梁に中央部が取付けられた隣りの床目地プレートを覆う中央床目地プレートとからなる床用目地装置」が知られている（特許文献１参照）。
【０００３】
しかしながら、このような床用目地装置は、複数の床目地プレートを用いているため、小さいながらも多数の段差ができてしまい、車いす等で通行する場合、非常に困難であるという欠点があった。
【０００４】
また、伸縮梁上に目地プレート支持梁を設け、該目地プレート支持梁に複数個の床目地プレートを設けているので、高さ寸法が大きくなってしまうという欠点があった。
【先行技術文献】
【特許文献】
【０００５】
【特許文献１】特許第５２８６１９７号公報
【発明の概要】
【発明が解決しようとする課題】
【０００６】
本発明は以上のような従来の欠点に鑑み、目地プレート表面の段差を最小限にするとともに、施工が容易な床用目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の床用目地装置は、目地部を介して設けられた左右の躯体の一方の躯体に取り付けられた複数個の筒状支持アームと、該複数個の筒状支持アームに先端部側がそれぞれ挿入され、一方の躯体と対向する他方の躯体にその後端部が取り付けられた複数個の挿入支持アームと、前記複数個の筒状支持アームの上面に支持される目地プレートと、前記複数個の挿入支持アームの上部に設けられ、その先端部が前記目地プレートに支持されるカバープレートと、該カバープレートの下面を支持する複数個の支持具を有する複数のカバープレート支持機構とで構成され、該カバープレート支持機構は、前記筒状支持アームの側面に対向するように設けられたレール部材と、該レール部材にスライド移動可能に支持されるとともに、後端部が前記他方の躯体に取り付けられたバー状又はパイプ状の支持具取付部材と、該支持具取付部材の上面に設けられた前記複数個の支持具とから成り、前記カバープレートの下面を支持している支持具は、前記目地プレートに接触すると回転し、前記目地プレートの下側に潜り込むとともに、その接触状態が解消すると前記カバープレートを支持できる状態に復帰することを特徴とする。
【発明の効果】
【０００９】
以上の説明から明らかなように、本発明にあっては次に列挙する効果が得られる。
（１）請求項１に記載された発明においては、目地部は目地プレート及びカバープレートで塞がれるので、段差が生じることを最小限にすることができ、また、この目地プレート及びカバープレートは筒状支持アーム、挿入支持アームで支持されるので、容易に施工することができる。
（２）また、カバープレートの目地プレートに支持されていない部位もカバープレート支持機構により支持することができるので、カバープレートが撓むことを防止することができる。
したがって、複数の梁や目地プレートを用いなくても強度を確保できるので、段差が生じることを最小限にすることができるとともに、容易に施工することができる。
（３）請求項２に記載された発明においても前記（１）〜（２）と同様な効果が得られるとともに、カバープレートの先端部が傾斜面に形成されているので、車いす等で通行する際にもスムーズに通行することができる。
（４）請求項３に記載された発明においても前記（１）〜（３）と同様な効果が得られるとともに、カバープレートの上面と面一になるフラットプレートを有しているので、通常時は上面がフルフラットとなり、車いす等で通行する際にも更にスムーズに通行することができる。
【図面の簡単な説明】
【００１０】
図１乃至図１２は本発明の第１の実施形態を示す説明図である。
図１３乃至図１６は本発明の第２の実施形態を示す説明図である。
【図１】床用目地装置の平面図。
【図２】図１の２−２線に沿う断面図。
【図３】図１の３−３線に沿う断面図。
【図４】図１の４−４線に沿う断面図。
【図５】筒状支持アームの説明図。
【図６】挿入支持アームの説明図。
【図７】カバープレート支持機構の説明図。
【図８】支持具の説明図。
【図９】フラットプレートの説明図。
【図１０】地震で目地部が狭くなった状態の動作説明図。
【図１１】地震で目地部が広くなった状態の動作説明図。
【図１２】地震で左右の躯体が不等沈下した状態の動作説明図。
【図１３】第２の実施形態の床用目地装置の平面図。
【図１４】図１３の１４−１４線に沿う断面図。
【図１５】図１３の１５−１５線に沿う断面図。
【図１６】筒状支持アームの説明図。
【発明を実施するための形態】
【００１１】
以下、図面に示す本発明を実施するための形態により、本発明を詳細に説明する。なお、左右方向とは図１（平面視）における左右方向、前後方向とは図１における上下方向、上下方向とは図２における上下方向をいう。また、先端部とは、目地部中央部側の端部をいい、後端部とは、躯体側の端部をいう。
【００１２】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１３】
図１ないし図１２に示す本発明を実施するための第１の形態において、１は左右の躯体３、４の間の目地部２を塞ぐ床用目地装置である。
【００１４】
この床用目地装置１は、図１乃至図４に示すように、目地部２を介して設けられた左右の躯体の一方の躯体３の壁面３ａにその後端部が一方の枢支ピン１３を支点として上下方向に回転可能に取り付けられた複数個の筒状支持アーム５と、該筒状支持アーム５に先端部側が挿入され、かつ前記筒状支持アーム５が取り付けられた躯体３と対向する他方の躯体４の壁面４ａに、その後端部が他方の枢支ピン１９を支点として上下方向に回転可能に取り付けられた複数個の挿入支持アーム６と、前記複数個の筒状支持アーム５の上面に支持され、左右方向の長さが筒状支持アーム５と略同じ寸法の目地プレート７と、前記複数個の挿入支持アーム６の上部に目地プレート７がスライド移動する空間を隔てて設けられ、左右方向の長さが挿入支持アーム６と略同じ寸法のカバープレート８と、該カバープレート８の下面を支持する支持具９を有する複数のカバープレート支持機構１０と、前記目地プレート７の上部に設けられ、目地部２側の端部が前記カバープレート８に面接触状態で当接するフラットプレート３６で構成されている。なお、壁面とは、前記躯体の高さ方向に寸法を有する面をいい、例えば、外壁や内壁に限らず、スラブの高さ方向の面等も含むものである。また、本願発明は、必ずしも壁面に設けなくてもよい。例えば躯体の端部側に取付部等を設けて設置してもよい。
【００１５】
前記筒状支持アーム５は、図５に示すように、断面四角筒状で平面視略長方形状の支持アーム本体１１と、この支持アーム本体１１の後端上部に外方へ突出するように形成された支持アーム取付部１２と、この支持アーム取付部１２に枢支ピン１３で枢支された支持アーム取付具１４と、前記支持アーム本体１１の先端部の上部内壁に取付けられたローラー１５とで構成されている。この筒状支持アーム５は、前記支持アーム取付具１４に上下方向に回転可能に取り付けられる。この筒状支持アーム５の支持アーム本体１１の両側面５ａの上部には、アングル状の取り付け金具５ｂが固定されており、この取り付け金具５ｂに目地プレート７がビス等で固定される。
【００１６】
該支持アーム取付具１４は、例えば断面あるいは平面視が略コ字状に形成されている。そして、その対向両壁に前記枢支ピン１３が挿入される透孔を有する支持アーム枢支部２９を備え、前記一方の建物の壁面３ａに取り付けられる。
【００１７】
このように前記支持アーム取付部１２が支持アーム取付具１４の支持アーム枢支部２９に上下方向に回転可能に枢支されているので、筒状支持アーム５は上下方向に回転可能な状態で前記一方の建物の壁面３ａに取り付けられる。
【００１８】
前記挿入支持アーム６は、例えば、図６に示すように、前記複数個の筒状支持アーム５内にそれぞれスライド移動可能に挿入される平面視長方形状で板状あるいは筒状、本実施の形態においては板状の挿入支持アーム本体１６と、この挿入支持アーム本体１６の先端下部に取付けられた下部ローラー１７と、前記挿入支持アーム本体１６の後端上部に外方へ突出するように形成された挿入支持アーム取付部１８と、この挿入支持アーム取付部１８に枢支ピン１９で枢支される挿入支持アーム取付具２０とで構成されている。
【００１９】
該挿入支持アーム取付具２０は、例えば断面あるいは平面視が略コ字状に形成されている。そして、その対向両壁に前記枢支ピン１３が挿入される透孔を有する挿入支持アーム枢支部３２を備え、前記他方の建物の壁面３ｂに固定される。
このように、本実施の形態において、筒状支持アーム５及び挿入支持アーム６は、その後端部がそれぞれ枢支ピンを介して左右の躯体３、４に取り付けられているので、上下方向に回動可能な状態となる。
【００２０】
前記目地プレート７は、前記複数個の筒状支持アーム５の上面に、前記取り付け金具５ｂにビス止めされ固定状態で支持されており、平面視長方形状で左右方向の長さが筒状支持アーム５と略同じ寸法に形成されている。また、この目地プレート７は、金属製の薄板で形成されている。
【００２１】
なお、本実施の形態においては、目地プレート７は複数個の筒状支持アーム５の前記取り付け金具５ｂにビス止めされているが、この取り付け金具５ｂを設けず、筒状支持アーム５の上面に溶接で固定してもよい。
【００２２】
前記カバープレート８は、前記複数個の挿入支持アーム６の上面に目地プレート７がスライド移動する空間を隔てるためのスペーサー２１を介して設けられており、平面視長方形状で左右方向の長さは挿入支持アーム６と略同じ寸法に形成されている。また、カバープレート８も、金属製の薄板で形成されており、その先端部は、車いす等の走行が容易なように傾斜面２２に形成されている。
【００２３】
前記フラットプレート３６は、前記目地プレートの上面に設けられており、その先端部には前記カバープレート８の先端部に形成された傾斜面２２と面接触状態で当接する乗り上げ傾斜面３７が形成されており、通常状態では前記傾斜面２２と面接触状態で常時当接している。
【００２４】
フラットプレート３６の取付端部（躯体側の端部）は、前記目地プレート７に取付ピン３８で上下方向に移動可能に取り付けられている。また、この取付ピン３８の下端部と目地プレート８の底面との間には、コイルスプリング３９が設けられており、フラットプレート３６はこのコイルスプリング３９によって下方へ付勢される。
【００２５】
前記カバープレート支持機構１０は、図７に示すように、隣り合う筒状支持アーム５の対向する側面５ａに設けられた一対のレール部材２３と、該レール部材２３にスライド移動可能に係合状態で取り付けられ、後端部が他方の躯体４の壁面４ａに枢支ピン４０で上下方向に回動可能に取り付けられた、本実施の形態においては、角パイプ状の支持具取付部材２４と、該支持具取付部材２４の上面に設けられた複数個の支持具９とで構成されている。なお、支持具取付部材２４は後端部をヒンジ部材で躯体に取り付けてもよい。
【００２６】
前記レール部材２３は図４、図７等に示すように断面視クランク状の金属板であり、筒状支持アーム５の側面５ａに固定的に設けられている。
【００２７】
前記支持具取付部材２４には、このレール部材２３に係合するレール係合部２４ａが突出端部付近の左右側面に形成されている。
【００２８】
このレール係合部２４ａは、本実施の形態においては、ローラーの形状となっており、このローラー２４ａが前記レール部材２３を転動すると共に、支持具取付部材２４の突出端部側が前記レール部材２３に支持される。また、後端部には、前記枢支ピン４０が挿入される枢支ピン挿入孔２４ｂが形成されている。この枢支ピン挿入孔２４ｂは前記挿入支持アーム６の枢支ピン１９と同軸上に位置するように形成されている。
【００２９】
前記支持具９は、図８に示すように支持具取付部材２４の上面に、所定間隔で回動可能に設けられた複数の支持金具２５と、該複数の支持金具２５の上端部に設けられたローラー２６と、該複数の支持金具２５を直立状態となるようにそれぞれ付勢する付勢具２７とで構成されている。前記複数の支持金具２５は、直立状態では前記カバープレート９を支持することができるとともに、目地プレート７に側方から押圧された場合には回転することができるように略Ｌ字状に形成されている。
【００３０】
前記支持金具２５のローラー２６付近には、前記付勢具２７を取付ける付勢具取付部２８が形成されており、前記付勢具２７（本実施の形態においてはコイルスプリング）の一端部は前記支持具取付部材２４に固定され、他端部は前記付勢具取付部２８に固定されている。
【００３１】
また、この支持金具２５は、直立状態において前記ローラー２６によって前記カバープレート８の底面を支持しており、地震によって目地部２が狭くなる方向に左右の躯体３、４が揺れ動き、前記目地プレート７がローラー２６を押圧し、前記支持金具２５が押圧された方向に傾倒した際には、前記ローラー２６が目地プレート７の底面に当接するので、目地プレート７の底面との間に大きな摩擦力が発生せずスムーズにスライド移動できる。
地震で躯体３、４が左右方向に揺れ動き目地部２が狭くなると、図１０に示すように、挿入支持アーム６は筒状支持アーム５の取り付け基端部側へスライド移動するとともに、前記カバープレート８も支持具取付部材２４が前記レール部材２３に沿って筒状支持アーム５の取り付け基端部側へスライド移動する。この時、前記支持具９は、目地プレート７の端部に押圧され、支持金具２５が押圧された方向に回転し、目地プレート７の下側に潜り込むことで揺れ動きを吸収する。このときカバープレート支持機構１０の支持具９が傾き、カバープレート８を支持具９が直接支持できなくても、その部位には目地プレート７が位置するため、カバープレート８を目地プレート７が支持することになり、カバープレート８が撓むことを防止できる。また、目地プレートが位置しない部位については、通常時と同様にカバープレート支持機構１０の支持具９がカバープレート８を支持する。
また、フラットプレート３６は、その先端部の乗り上げ傾斜面３７がカバープレート８の傾斜面２２により上方へ押し上げられ、カバープレート８の上部へ乗り上げる。
【００３２】
地震による揺れ動きが終了し、目地部２の寸法が通常時と同様に復帰した場合には、目地プレート７によって押圧され傾倒していたカバープレート支持機構１０の支持具９は、付勢具２７の付勢力により直立状態となってカバープレート８を支持する。
また、フラットプレート３６は、通常位置に復帰し、フラットプレート３６の上面とカバープレート８の上面とが略平坦な状態となる。
【００３３】
地震で躯体３、４が左右方向に揺れ動き目地部２が広くなると、図１１に示すように、挿入支持アーム６は筒状支持アーム５の取り付け基端部の反対側（先端部側）へスライド移動するとともに、前記カバープレート８も支持具取付部材２４が前記レール部材２３に沿って筒状支持アーム５の先端部側へスライド移動する。この時、目地プレート７による押圧状態が解除された支持具９は、付勢具２７の付勢力により直立状態となってカバープレート８を支持することになり、カバープレート８が撓むことを防止できる。
【００３４】
地震で躯体３、４が不等沈下すると、図１２に示すように、前記筒状支持アーム５は枢支ピン１３を支点に上下方向に回動するとともに、前記挿入支持アーム６及び支持具取付部材２４も枢支ピン１９を支点に上下方向に回動し、左右の躯体３、４の高低差を吸収する。
【００３５】
[発明を実施するための異なる形態]
次に、図１３乃至図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３６】
図１３乃至図１６に示す本発明を実施するための第２の形態において、前記本発明を実施するための第１の形態と主に異なる点は、断面視アングル状の支持アーム本体１１Ａ及び１１Ｂを溶接等で２つ結合させて筒状に形成した筒状支持アーム５Ａにし、また、支持アーム本体１１Ａの上面に位置する部位の寸法を支持アーム本体１１Ｂの底面に位置する部位の寸法よりも長く設定し、これらの板材を結合することにより、挿入支持アーム６がスライド移動する部位よりも外側に目地プレート７をビス等で取付ける目地プレート取付部３５を形成した点で、このような筒状支持アーム５Ａを用いた床用目地装置１Ａにしても前記本発明を実施するための第１の形態と同様な作用効果が得られるとともに、低コストで筒状支持アーム５を形成することができる。また、目地プレート７を取付ける目地プレート取付部３５を備えているので、目地プレート７を取付けるビス等が下方に突出しても、挿入支持アーム６のスライド移動を妨げないようにすることができる。
【００３７】
本発明の実施形態では、目地プレートやカバープレートを支持アームや挿入支持アームの上面に取付ける形態について説明したが、目地プレートの後端部を一方の躯体に取り付け、その先端部を支持アームで支持してもよく、カバープレートも他方の躯体に取り付け、その先端部を目地プレートで支持してもよい。
【００３８】
さらに、支持アーム本体の先端部の上部内壁に取付けられたローラーや挿入支持アーム本体の先端下部に取付けられた下部ローラーはフラットタイプのローラーを用いているが、例えばＶ溝型のローラーを用いてもよい。この場合、挿入支持アーム本体の上面をＶ溝型のローラーに係合するように凸形状とし、下部ローラーが移動する部位にＶ溝型の下部ローラー係合する凸形状のガイドレールを用いるとよい。
【産業上の利用可能性】
【００３９】
本発明は床用目地装置を製造する産業で利用される。
【符号の説明】
【００４０】
１、１Ａ：床用目地装置、          ２：目地部、
３：一方の躯体、                  ４：他方の躯体、
５、５Ａ：筒状支持アーム、        ６：挿入支持アーム、
７：目地プレート、                ８：カバープレート、
９：支持具、                      １０：カバープレート支持機構、
１１、１１Ａ、１１Ｂ：支持アーム本体、
１２：支持アーム取付部、
１３：枢支ピン、                  １４：支持アーム取付具、
１５：ローラー、                  １６：挿入支持アーム本体、
１７：下部ローラー、              １８：挿入支持アーム取付部、
１９：枢支ピン、                  ２０：挿入支持アーム取付具、
２１：スペーサー、                ２２：傾斜面、
２３：レール部材、                ２４：支持具取付部材、
２５：支持金具、                  ２６：ローラー、
２７：付勢具、                    ２８：付勢具取付部、
２９：支持アーム枢支部、          ３０：係合部、
３１：取付金具、                  ３２：挿入支持アーム枢支部、
３３：係合部、                    ３４：取付金具、
３５：目地プレート取付部、        ３６：フラットプレート、
３７：乗り上げ傾斜面、            ３８：取付ピン、
３９：コイルスプリング、          ４０：枢支ピン。      
【図１】
2018017078.tif 000003
【図２】
2018017078.tif 000004
【図３】
2018017078.tif 000005
【図４】
2018017078.tif 000006
【図５】
2018017078.tif 000007
【図６】
2018017078.tif 000008
【図７】
2018017078.tif 000009
【図８】
2018017078.tif 000010
【図９】
2018017078.tif 000011
【図１０】
2018017078.tif 000012
【図１１】
2018017078.tif 000013
【図１２】
2018017078.tif 000014
【図１３】
2018017078.tif 000015
【図１４】
2018017078.tif 000016
【図１５】
2018017078.tif 000017
【図１６】
2018017078.tif 000018